(57)【要約】  本発明は、移動端末と、無線チャンネルを通じて前記移動端末に接続された基地局と、前記基地局を通じて前記移動端末にパケットデータサービスを提供するパケットデータサービスノード(ＰＤＳＮ)とを含む無線通信システムにおける呼び出し情報を送受信するシステムであって、マルチメディア呼び出し情報を含むＳＩＰ(Session Initiate Protocol)招待メッセージをエンコーディングして伝送する発信移動端末と、発信移動端末からＳＩＰ招待メッセージを受信するＩＭＳ(Internet Protocol Multimedia Subsystem)サーバと、受信されたＳＩＰ招待メッセージ内のエンコーディングされたマルチメディア呼び出し情報をデコーディングして再生する着信移動端末とを含み、ＩＭＳサーバは、発信移動端末と着信移動端末のサービスプロファイルにより着信移動端末にＳＩＰ招待メッセージを伝送する。
2008529399.tif 000002
【特許請求の範囲】
【請求項１】
移動端末と、無線チャンネルを通じて前記移動端末に接続された基地局と、前記基地局を通じて前記移動端末にパケットデータサービスを提供するパケットデータサービスノードとを含む無線通信システムにおける呼び出し情報を送受信するシステムであって、
マルチメディア呼び出し情報を含むＳＩＰ招待メッセージをエンコーディングして伝送する発信移動端末と、
前記発信移動端末からＳＩＰ招待メッセージを受信するＩＭＳサーバと、
前記受信されたＳＩＰ招待メッセージ内のエンコーディングされたマルチメディア呼び出し情報をデコーディングして再生する着信移動端末と、を含み、
前記ＩＭＳサーバは、前記発信移動端末と着信移動端末のサービスプロファイルにより着信移動端末に前記ＳＩＰ招待メッセージを伝送することを特徴とするシステム。
【請求項２】
前記ＳＩＰ招待メッセージは、少なくとも一つの伝送可能なマルチメディア情報を示すコンテンツタイプを含むヘッダーと、前記コンテンツタイプに該当する実際マルチメディア呼び出し情報を有するボディーで構成されることを特徴とする請求項１記載のシステム。
【請求項３】
前記マルチメディア情報は、音声、写真、動映像、及び文字を含むことを特徴とする請求項２記載のシステム。
【請求項４】
前記発信移動端末にマルチメディアコンテンツを提供するメディアサーバをさらに含むことを特徴とする請求項１記載のシステム。
【請求項５】
移動端末と、無線チャンネルを通じて前記移動端末に接続された基地局と、前記基地局を通じて前記移動端末にパケットデータサービスを提供するパケットデータサービスノードとを含む無線通信システムにおける呼び出し情報を送受信するシステムであって、
マルチメディア呼び出し情報を含むＳＩＰ招待メッセージをエンコーディングして伝送する発信移動端末と、
前記発信移動端末からＳＩＰ招待メッセージを受信し、前記発信移動端末と着信移動端末のサービスプロファイルを検索し、その検索結果により着信移動端末に前記ＳＩＰ招待メッセージを伝送して発信移動端末と着信端末との間に呼設定を遂行するＩＭＳサーバと、
前記ＩＭＳサーバに連動して前記ＳＩＰ招待メッセージのヘッダーに予め貯蔵されたマルチメディア情報及びそのＵＲＬをマッピングし、前記マルチメディア情報を前記着信移動端末にアップロードするマルチメディア呼び出し応用サーバと、を含み、
前記着信移動端末は、マルチメディア呼び出し応用サーバから前記ＳＩＰ招待メッセージに含まれたマルチメディア情報をダウンロードして再生することを特徴とするシステム。
【請求項６】
前記ＳＩＰ招待メッセージのヘッダーは、指定されたマルチメディアＵＲＬを含むことを特徴とする請求項５記載のシステム。
【請求項７】
前記予め貯蔵されたマルチメディア情報及び前記情報のＵＲＬは、発信者の意図、選好度、趣向に基づいた情報で構成されることを特徴とする請求項５記載のシステム。
【請求項８】
前記マルチメディア呼び出し応用サーバは、Ｗｅｂサイトを通じて前記マルチメディア情報を貯蔵することを特徴とする請求項５記載のシステム。
【請求項９】
移動端末と、無線チャンネルを通じて前記移動端末に接続された基地局と、前記基地局を通じて前記移動端末にパケットデータサービスを提供するパケットデータサービスノードとを含む無線通信システムにおける呼び出し情報を送受信する装置であって、
マルチメディア呼び出し情報を含むＳＩＰ招待メッセージをエンコーディングして伝送する発信移動端末と、
前記発信移動端末と着信移動端末のサービスプロファイルにより、発信移動端末からＳＩＰ招待メッセージを受信して着信移動端末に伝送するＩＭＳサーバから前記ＳＩＰ招待メッセージを受信し、前記受信されたＳＩＰ招待メッセージ内のエンコーディングされたマルチメディア呼び出し情報をデコーディングして再生する着信移動端末と、
を含むことを特徴とする装置。
【請求項１０】
前記ＳＩＰ招待メッセージは、少なくとも一つの伝送可能なマルチメディア情報を示すコンテンツタイプを含むヘッダーと、前記コンテンツタイプに該当する実際マルチメディア呼び出し情報を有するボディーで構成されることを特徴とする請求項９記載の装置。
【請求項１１】
前記マルチメディア情報は、音声、写真、動映像、及び文字を含むことを特徴とする請求項１０記載の装置。
【請求項１２】
移動端末と、無線チャンネルを通じて前記移動端末に接続された基地局と、前記基地局を通じて前記移動端末にパケットデータサービスを提供するパケットデータサービスノードとを含む無線通信システムにおける呼び出し情報を送受信する装置であって、
マルチメディア呼び出し情報を含むＳＩＰ招待メッセージをエンコーディングして伝送する発信移動端末と、
前記発信移動端末と着信移動端末のサービスプロファイルにより、発信移動端末からＳＩＰ招待メッセージを受信して着信移動端末に伝送するＩＭＳサーバに連動して、ＳＩＰ招待メッセージヘッダーに予め貯蔵されたマルチメディア情報のＵＲＬ及び前記予め貯蔵されたマルチメディア情報をマッピングするマルチメディア呼び出し応用サーバから前記ＳＩＰ招待メッセージに含まれたマルチメディア情報をダウンロードして再生する着信移動端末と、
を含むことを特徴とする装置。
【請求項１３】
前記ＳＩＰ招待メッセージのヘッダーは、指定されたマルチメディアＵＲＬを含むことを特徴とする請求項１２記載の装置。
【請求項１４】
前記予め貯蔵されたマルチメディア情報及びそのＵＲＬは、発信者の意図、選好度、趣向に基づいた情報で構成されることを特徴とする請求項１２記載の装置。
【請求項１５】
移動端末と、無線チャンネルを通じて前記移動端末に接続された基地局と、前記基地局を通じて前記移動端末にパケットデータサービスを提供するパケットデータサービスノードとを含む無線通信システムにおける呼び出し情報を送受信する方法であって、
マルチメディア呼び出し情報を含むＳＩＰ招待メッセージをエンコーディングして伝送する段階と、
前記発信移動端末からＳＩＰ招待メッセージを受信し、前記発信移動端末と着信移動端末のサービスプロファイルを検索する段階と、
その検索結果により、前記着信移動端末に前記ＳＩＰ招待メッセージを伝送して前記発信移動端末と着信端末との間に呼設定を遂行する段階と、
前記受信されたＳＩＰ招待メッセージ内のエンコーディングされたマルチメディア呼び出し情報をデコーディングして再生する段階と、
を有することを特徴とする方法。
【請求項１６】
前記ＳＩＰ招待メッセージは、少なくとも一つの伝送可能なマルチメディア情報を示すコンテンツタイプを含むヘッダーと、前記コンテンツタイプに該当する実際マルチメディア呼び出し情報を有するボディーで構成されることを特徴とする請求項１５記載の方法。
【請求項１７】
前記マルチメディア情報は、音声、写真、動映像、及び文字を含むことを特徴とする請求項１６記載の方法。
【請求項１８】
移動端末と、無線チャンネルを通じて前記移動端末に接続された基地局と、前記基地局を通じて前記移動端末にパケットデータサービスを提供するパケットデータサービスノードとを含む無線通信システムにおける呼び出し情報を送受信する方法であって、
発信移動端末がマルチメディア呼び出し情報を含むＳＩＰ招待メッセージをエンコーディングして伝送する段階と、
ＩＭＳサーバが、前記発信移動端末からＳＩＰ招待メッセージを受信し、前記発信移動端末と着信移動端末のサービスプロファイルを検索する段階と、
その検索結果により、前記着信移動端末に前記ＳＩＰ招待メッセージを伝送して前記発信移動端末と着信移動端末との間に呼設定を遂行する段階と、
マルチメディア呼び出し応用サーバが、前記ＩＭＳサーバに連動して予め貯蔵されたマルチメディア情報及びそのＵＲＬを前記ＳＩＰ招待メッセージのヘッダーとマッピングする段階と、
前記ＳＩＰ招待メッセージに含まれたマルチメディア情報をダウンロードして再生する段階と、
を有することを特徴とする方法。
【請求項１９】
前記ＳＩＰ招待メッセージのヘッダーは、指定されたマルチメディアＵＲＬを含むことを特徴とする請求項１８記載の方法。
【請求項２０】
前記予め貯蔵されたマルチメディア情報及びそのＵＲＬは、発信者の意図、選好度、趣向に基づいた情報で構成されることを特徴とする請求項１８記載の方法。
【請求項２１】
移動端末と、無線チャンネルを通じて前記移動端末に接続された基地局と、前記基地局を通じて前記移動端末にパケットデータサービスを提供するパケットデータサービスノードとを含む無線通信システムにおける呼び出し情報を送受信する方法であって、
発信移動端末がマルチメディア呼び出し情報を含むＳＩＰ招待メッセージをエンコーディングして伝送する段階と、
前記発信移動端末と着信移動端末のサービスプロファイルにより、着信移動端末が、発信移動端末からＳＩＰ招待メッセージを受信して着信移動端末に伝送するＩＭＳサーバから前記ＳＩＰ招待メッセージのエンコーディングされたマルチメディア呼び出し情報を受信し、前記受信されたエンコーディングされたマルチメディア呼び出し情報をデコーディングして再生する段階と、
を有することを特徴とする方法。
【請求項２２】
前記ＳＩＰ招待メッセージは、少なくとも一つの伝送可能なマルチメディア情報を示すコンテンツタイプを含むヘッダーと、前記コンテンツタイプに該当する実際マルチメディア呼び出し情報を有するボディーで構成されることを特徴とする請求項２１記載の方法。
【請求項２３】
前記マルチメディア情報は、音声、写真、動映像、及び文字を含むことを特徴とする請求項２１記載の方法。
【請求項２４】
移動端末と、無線チャンネルを通じて前記移動端末に接続された基地局と、前記基地局を通じて前記移動端末にパケットデータサービスを提供するパケットデータサービスノードとを含む無線通信システムにおける呼び出し情報を送受信する方法であって、
マルチメディア呼び出し情報を含むＳＩＰ招待メッセージをエンコーディングして伝送する段階と、
前記発信移動端末と着信移動端末のサービスプロファイルにより、発信移動端末からＳＩＰ招待メッセージを受信して着信移動端末に伝送するＩＭＳサーバに連動して、ＳＩＰ招待メッセージヘッダーに予め貯蔵されたマルチメディア情報のＵＲＬ及び前記予め貯蔵されたマルチメディア情報をマッピングするマルチメディア呼び出し応用サーバから前記ＳＩＰ招待メッセージに含まれたマルチメディア情報をダウンロードして再生する段階と、
を有することを特徴とする方法。
【請求項２５】
前記ＳＩＰ招待メッセージのヘッダーは、指定されたマルチメディアＵＲＬを含むことを特徴とする請求項２４記載の方法。
【請求項２６】
前記マルチメディア情報及びそのＵＲＬは、発信者の意図、選好度、趣向に基づいた情報で構成されることを特徴とする請求項２４記載の方法。
【発明の詳細な説明】
【技術分野】
【０００１】
本発明は無線通信システムで移動端末の呼び出し情報送受信システム及び方法に関して、特に無線端末の着信移動端末に対する呼び出し情報を送受信するシステム及び方法に関するものである。
【背景技術】
【０００２】
一般に、無線通信システムは、特定場所又は有線に限られずにユーザーが通信を遂行するように開発された。移動通信システムは、ユーザーに音声サービスを提供する目的で開発された代表的な無線通信システムである。この移動通信システムは、現在の音声サービス及び簡単なデータサービスだけでなく、高速データを提供することができる向上したシステムに継続して発展している。
【０００３】
音声サービスは、公衆交換網(Public  Switched  Telephone  Network：ＰＳＴＮ）のような回線網(circuit  switched  network)を通じてリアルタイムサービスが提供される。パケットサービスは、ＩＰ(Internet  Protocol)網のようなパケット伝送が可能なネットワークを通じてサービスが提供される。このようなネットワーク環境で、発信側の移動端末が発呼を要求して着信側の移動端末と呼設定がなされた場合に、呼び出し(alerting)情報が着信側の移動端末に提供される。このとき、呼び出し情報は、着信側の移動端末に既に設定されているベル、振動、及びランプ(無音)表示のいずれか一つ又は組み合わせを通じてユーザーに提供されることができる。このベル音は、移動端末の製造過程でセッティングされた基本ベル音、又はインターネットを通じてダウンロードされたユーザーベル音を含む。
【０００４】
従来の呼び出し情報は、着信者によって着信側の移動端末に予め設定されたベル、振動、及び無音表示(又は警報)の一つ又は組合せを通じて着信者に提供される。しかしながら、発信者の意図、選好度(preference)、趣向に基づいた呼び出し情報を着信者に提供することができないという問題があった。
【０００５】
したがって、無線通信システムの移動端末で発信者の意図、選好度、趣向に基づいた呼び出し情報を着信者に提供する改善したシステム及び方法が要求される。
【発明の開示】
【発明が解決しようとする課題】
【０００６】
したがって、上記のような従来の問題点を解決するために、本発明の目的は、着信側の移動端末に発信者の意図、選好度、趣向に基づいた呼び出し情報を伝送するシステム及び方法を提供することにある。
【０００７】
また、本発明の目的は、着信側の移動端末に発信者の意図、選好度、趣向に基づいた音声、写真、動映像、及び文字のような多様なマルチメディア呼び出し情報を伝送するシステム及び方法を提供することにある。
【課題を解決するための手段】
【０００８】
上記のような目的を達成するために、本発明は、移動端末と、無線チャンネルを通じて前記移動端末に接続された基地局と、前記基地局を通じて前記移動端末にパケットデータサービスを提供するパケットデータサービスノード(ＰＤＳＮ)とを含む無線通信システムにおける呼び出し情報を送受信するシステムであって、マルチメディア呼び出し情報を含むＳＩＰ(Session Initiate Protocol)招待メッセージをエンコーディングして伝送する発信移動端末と、前記発信移動端末からＳＩＰ招待メッセージを受信するＩＭＳ(Internet Protocol Multimedia Subsystem)サーバと、前記受信されたＳＩＰ招待メッセージ内のエンコーディングされたマルチメディア呼び出し情報をデコーディングして再生する着信移動端末と、を含み、前記ＩＭＳサーバは、前記発信移動端末と着信移動端末のサービスプロファイルにより着信移動端末に前記ＳＩＰ招待メッセージを伝送することを特徴とする。
【０００９】
また、本発明は、移動端末と、無線チャンネルを通じて前記移動端末に接続された基地局と、前記基地局を通じて前記移動端末にパケットデータサービスを提供するパケットデータサービスノード(ＰＤＳＮ)とを含む無線通信システムにおける呼び出し情報を送受信するシステムであって、マルチメディア呼び出し情報を含むＳＩＰ(Session Initiate Protocol)招待メッセージをエンコーディングして伝送する発信移動端末と、前記発信移動端末からＳＩＰ招待メッセージを受信し、前記発信移動端末と着信移動端末のサービスプロファイルを検索し、その検索結果により着信移動端末に前記ＳＩＰ招待メッセージを伝送して発信移動端末と着信端末との間に呼設定を遂行するＩＭＳ(Internet Protocol Multimedia Subsystem)サーバと、前記ＩＭＳサーバに連動して前記ＳＩＰ招待メッセージのヘッダーに予め貯蔵されたマルチメディア情報及びそのＵＲＬ(Uniform Resource Locator)をマッピングし、前記マルチメディア情報を前記着信移動端末にアップロードするマルチメディア呼び出し応用サーバとを含み、前記着信移動端末は、マルチメディア呼び出し応用サーバから前記ＳＩＰ招待メッセージに含まれたマルチメディア情報をダウンロードして再生することを特徴とする。
【００１０】
本発明は、移動端末と、無線チャンネルを通じて前記移動端末に接続された基地局と、前記基地局を通じて前記移動端末にパケットデータサービスを提供するパケットデータサービスノード(ＰＤＳＮ)とを含む無線通信システムにおける呼び出し情報を送受信する装置であって、マルチメディア呼び出し情報を含むＳＩＰ(Session Initiate Protocol)招待メッセージをエンコーディングして伝送する発信移動端末と、前記発信移動端末と着信移動端末のサービスプロファイルにより、発信移動端末からＳＩＰ招待メッセージを受信して着信移動端末に伝送するＩＭＳ(Internet Protocol Multimedia Subsystem)サーバから前記ＳＩＰ招待メッセージを受信し、前記受信されたＳＩＰ招待メッセージ内のエンコーディングされたマルチメディア呼び出し情報をデコーディングして再生する着信移動端末とを含むことを特徴とする。
【００１１】
さらに、本発明は、移動端末と、無線チャンネルを通じて前記移動端末に接続された基地局と、前記基地局を通じて前記移動端末にパケットデータサービスを提供するパケットデータサービスノード(ＰＤＳＮ)とを含む無線通信システムにおける呼び出し情報を送受信する装置であって、マルチメディア呼び出し情報を含むＳＩＰ(Session Initiate Protocol)招待メッセージをエンコーディングして伝送する発信移動端末と、前記発信移動端末と着信移動端末のサービスプロファイルにより、発信移動端末からＳＩＰ招待メッセージを受信して着信移動端末に伝送するＩＭＳ(Internet Protocol Multimedia Subsystem)サーバに連動して、ＳＩＰ招待メッセージヘッダーに予め貯蔵されたマルチメディア情報のＵＲＬ(Uniform Resource Locator)及び前記予め貯蔵されたマルチメディア情報をマッピングするマルチメディア呼び出し応用サーバから前記ＳＩＰ招待メッセージに含まれたマルチメディア情報をダウンロードして再生する着信移動端末とを含むことを特徴とする。
【００１２】
また、本発明は、移動端末と、無線チャンネルを通じて前記移動端末に接続された基地局と、前記基地局を通じて前記移動端末にパケットデータサービスを提供するパケットデータサービスノード(ＰＤＳＮ)とを含む無線通信システムにおける呼び出し情報を送受信する方法であって、マルチメディア呼び出し情報を含むＳＩＰ招待メッセージをエンコーディングして伝送する段階と、前記発信移動端末からＳＩＰ招待メッセージを受信し、前記発信移動端末と着信移動端末のサービスプロファイルを検索する段階と、その検索結果により、前記着信移動端末に前記ＳＩＰ招待メッセージを伝送して前記発信移動端末と着信端末との間に呼設定を遂行する段階と、前記受信されたＳＩＰ招待メッセージ内のエンコーディングされたマルチメディア呼び出し情報をデコーディングして再生する段階とを有することを特徴とする。
【００１３】
本発明は、移動端末と、無線チャンネルを通じて前記移動端末に接続された基地局と、前記基地局を通じて前記移動端末にパケットデータサービスを提供するパケットデータサービスノード(ＰＤＳＮ)とを含む無線通信システムにおける呼び出し情報を送受信する方法であって、発信移動端末がマルチメディア呼び出し情報を含むＳＩＰ招待メッセージをエンコーディングして伝送する段階と、ＩＭＳサーバが、前記発信移動端末からＳＩＰ招待メッセージを受信し、前記発信移動端末と着信移動端末のサービスプロファイルを検索する段階と、その検索結果により、前記着信移動端末に前記ＳＩＰ招待メッセージを伝送して前記発信移動端末と着信移動端末との間に呼設定を遂行する段階と、マルチメディア呼び出し応用サーバが、前記ＩＭＳサーバに連動して予め貯蔵されたマルチメディア情報及びそのＵＲＬを前記ＳＩＰ招待メッセージのヘッダーとマッピングする段階と、前記ＳＩＰ招待メッセージに含まれたマルチメディア情報をダウンロードして再生する段階とを有することを特徴とする。
【００１４】
また、本発明は、移動端末と、無線チャンネルを通じて前記移動端末に接続された基地局と、前記基地局を通じて前記移動端末にパケットデータサービスを提供するパケットデータサービスノード(ＰＤＳＮ)とを含む無線通信システムにおける呼び出し情報を送受信する方法であって、発信移動端末がマルチメディア呼び出し情報を含むＳＩＰ招待メッセージをエンコーディングして伝送する段階と、前記発信移動端末と着信移動端末のサービスプロファイルにより、着信移動端末が、発信移動端末からＳＩＰ招待メッセージを受信して着信移動端末に伝送するＩＭＳ(Internet Protocol Multimedia Subsystem)サーバから前記ＳＩＰ招待メッセージのエンコーディングされたマルチメディア呼び出し情報を受信し、前記受信されたエンコーディングされたマルチメディア呼び出し情報をデコーディングして再生する段階とを有することを特徴とする。
【００１５】
さらに、本発明は、移動端末と、無線チャンネルを通じて前記移動端末に接続された基地局と、前記基地局を通じて前記移動端末にパケットデータサービスを提供するパケットデータサービスノード(ＰＤＳＮ)とを含む無線通信システムにおける呼び出し情報を送受信する方法であって、マルチメディア呼び出し情報を含むＳＩＰ(Session Initiate Protocol)招待メッセージをエンコーディングして伝送する段階と、前記発信移動端末と着信移動端末のサービスプロファイルにより、発信移動端末からＳＩＰ招待メッセージを受信して着信移動端末に伝送するＩＭＳ(Internet Protocol Multimedia Subsystem)サーバに連動して、ＳＩＰ招待メッセージヘッダーに予め貯蔵されたマルチメディア情報のＵＲＬ(Uniform Resource Locator)及び前記予め貯蔵されたマルチメディア情報をマッピングするマルチメディア呼び出し応用サーバから前記ＳＩＰ招待メッセージに含まれたマルチメディア情報をダウンロードして再生する段階とを有することを特徴とする。
【発明の効果】
【００１６】
本発明は、発信者の趣向、意図、選好度に基づいた呼び出し情報を伝送することができる。また、本発明は、結婚記念日、誕生日のような特別イベントに関連した特定の呼び出し情報を伝送し、発信者の身元を着信者に知らせる機能を提供することができる。
【発明を実施するための最良の形態】
【００１７】
以下、本発明の望ましい実施形態を添付の図面を参照して詳細に説明する。
【００１８】
下記に説明する実施形態が本発明の範囲を外れない限り、形式や細部の多様な変更が可能であることは、当該技術分野における通常の知識を持つ者には明らかである。本発明に関連した公知の機能又は構成に関する具体的な説明が本発明の要旨を不明にすると判断された場合に、その詳細な説明を省略する。
【００１９】
本発明の実施形態により、発信側の移動端末は、発信者の音声、写真、動映像、文字のようなマルチメディア呼び出し情報をＳＩＰ(Session Initiate Protocol)招待メッセージを用いる着信側の移動端末に伝送する。この着信側の移動端末は、ＳＩＰ招待メッセージを通じてマルチメディア呼び出し情報が提供される。
【００２０】
図１は、本発明の実施形態による移動端末の呼び出し情報送受信のための無線通信システムを示す。図１に示すように、呼び出し情報の送受信のための無線通信システムは、ＭＴ(Mobile Terminal)１００，１６０と、無線チャンネルを通じてＭＴ１００，１６０に接続された基地局１１０，１５０と、基地局１１０，１５０を通じてＭＴ１００，１６０にパケットデータサービスを提供するパケットデータサービスノード(Packet  Data  Service  Node：ＰＤＳＮ)１２０と、呼び出し情報送受信システム１３０を含む。呼び出し情報送受信システム１３０は、メディアサーバ(Media  Server)１３１と、マルチメディア呼び出し応用サーバ(Multimedia  Alerting  Application  Server)１３３と、ＩＭＳ(IP  Multimedia  Subsystem)サーバ１３２を含む。
【００２１】
ＰＤＳＮ１２０，１４０と、基地局１１０，１５０に呼び出し情報送受信システム１３０を通じてそれぞれ接続されたＭＴ１１０，１６０は、有線端末、無線端末、又は有無線統合端末を含む。以下の説明で、発信側の移動端末は“発信ＭＴ”１００とし、着信側の移動端末は“着信ＭＴ”１６０とする。例えば、ＭＴ１００，１６０は、ユーザーによる直接的な音声、写真、動映像、文字のようなマルチメディア呼び出し情報を記録及び再生することができる。また、ＭＴ１００，１６０は、マルチメディア呼び出し情報の記録及び再生動作が可能なように十分なプロセッシング電力(processing  power）を有する。また、ＭＴ１００，１６０は、ＳＩＰ(Session  Initiate  Protocol)招待メッセージのヘッダーを通じてマルチメディア呼出情報の送受信及び再生が可能である。なお、ＭＴ１００，１６０は、ＳＩＰ招待メッセージのヘッダーを通じて受信されたＵＲＬ(Uniform  Resource  Locator)、すなわちマルチメディア呼び出し応用サーバ１３３に貯蔵されたマルチメディア呼び出し情報のアドレスに対する認証を遂行することができ、マルチメディア呼び出し応用サーバ１３３からマルチメディア呼び出し情報が提供される。
【００２２】
図２を参照して、ＳＩＰ招待メッセージのフォーマットについて説明する。図２に示すように、ＳＩＰ招待メッセージは、ヘッダー２０１とボディー２０３を含む。ＳＩＰ招待メッセージは、音声、動映像、写真、及び文字のようなマルチメディア呼び出し情報を含むことができる。このとき、実際のマルチメディア呼び出し情報は、ＳＩＰ招待メッセージのボディー２０３に含まれる。
【００２３】
ＳＩＰ招待メッセージを説明すると、“Content-Type:  multipart/mixed;  boundary=unique-boundary-1”は、“Content-Type  Header”を一つ以上のコンテンツタイプのマルチメディア情報を伝送できるようにマルチパートタイプに定義し、“unique-boundary-1”に境界(boundary)識別子として定義されているボディー２０３にコンテンツタイプを挿入する。
【００２４】
“content-Disposition  :alert”は“Content-Disposition  Header”のタイプを呼び出し情報として設定し、着信ＭＴ末がメッセージを受信するときに、該当コンテンツをベルで提供する。
【００２５】
ＳＩＰ招待メッセージのボディー２０３に、ｂａｓｅ６４形態にエンコーディングされた８０００Hzの“single-channel  mu-law-format  audio  data”が挿入される。すなわち、発信者によって記録された音声は、“Content-Type:  audio/basic”の形態に定義され、このボディー２０３にエンコーディングされてから伝送される。
【００２６】
また、ＳＩＰ招待メッセージのボディー２０３は、ｂａｓｅ６４形態にエンコーディングされたイメージデータを有し、“Content-Type  :image/jpeg”の形態で挿入される。すなわち、発信者の音声に発信者の写真を共にエンコーディングして伝送される。
【００２７】
メディアサーバ１３１は、発信ＭＴ１００が呼を試みる前に発信者のボタン操作によって発信者の音声及び動映像が記録(又は入力)されるように発信者の音声及び動映像を貯蔵する。
【００２８】
ＩＭＳサーバ１３２は、発信ＭＴ１００と着信ＭＴ１６０との間の呼設定及び解除を担当する。ＩＭＳサーバ１３２は、呼び出し情報サービスを提供するＩＰマルチメディア加入者に対するセッション(session）を設定し、マルチメディア呼び出し応用サーバ１３３に連動してこのマルチメディア呼び出し応用サーバ１３３から受信されたメッセージを着信ＭＴ１６０に伝送する。このＩＭＳサーバ１３２は、発信者のサービスプロファイルにより、着信ＭＴ１６０に特定の呼び出し情報の提供が必要な時点に該メッセージを伝送する。
【００２９】
マルチメディア呼び出し応用サーバ１３３は、加入者別サービスプロファイルにより該当マルチメディア呼び出し情報をＩＭＳサーバ１３２に提供し、Ｗｅｂサイトを通じてマルチメディア情報貯蔵機能を提供する。なお、マルチメディア呼び出し応用サーバ１３３は、発信ＭＴ１００から記録されたマルチメディア情報をアップロード(upload)し、多様なタイプのマルチメディア情報(文字、写真、音声、動映像など)を組合せて着信ＭＴ１６０に提供する。また、マルチメディア呼び出し応用サーバ１３３は、その機能がサービスプロファイル内に定義された場合に、発信者の呼び出し情報を拒否することができる機能を着信ＭＴ１６０に提供する。マルチメディア呼び出し応用サーバ１３３は、呼び出し情報を提供する発信者のタイプにより、着信ＭＴ１６０に呼び出し情報受信拒否を選択できる機能を提供する。また、マルチメディア呼び出し応用サーバ１３３は、その機能がサービスプロファイル内に定義された場合に、発信ＭＴ１００に呼び出し情報の発信拒否を選択できる機能を提供する。
【００３０】
発信ＭＴ１００は、マルチメディア情報記録機能を発信者に提供し、マルチメディア呼び出し応用サーバ１３３からダウンロードされたマルチメディア呼び出し情報をディレクトリに貯蔵する。発信ＭＴ１００は、呼の発信時に、マルチメディア呼び出し応用サーバ１３３に貯蔵された自分のマルチメディア情報を着信ＭＴ１６０に伝送する機能の設定及び解除機能を有し、ＳＩＰ招待メッセージに含まれたマルチメディア情報を再生する機能も有する。
【００３１】
次に、本発明の実施形態による無線通信システムで呼び出し情報の送受信方法について、図３を参照して説明する。
【００３２】
発信者は、発信ＭＴ１００を用いて呼を試みる前に、発信ＭＴ１００の特定ボタン、例えば“マルチメディア呼び出し情報”のボタンを押して発信者の音声及び動映像を記録する。この記録後に、着信者は受信者の電話番号を入力させることによって呼を試みる。
【００３３】
上記の呼を試みた後に、発信者は、発信ＭＴ１００に記録された音声及び動映像を貯蔵することができる。また、発信者は、ディレクトリに貯蔵されている着信者別にベル音、音声、及び動映像のようなマルチメディア情報を発信ＭＴ１００に記録することができる。さらに、発信ＭＴ１００は、マルチメディア呼び出し応用サーバ１３３又はメディアサーバ１３１から該当マルチメディア情報をダウンロードすることができる。
【００３４】
発信ＭＴ１００は、呼を試みるときに、ステップ３０１で、記録されたマルチメディア情報をＳＩＰ招待メッセージに含ませて第１のＩＭＳサーバ１３２ａに伝送する。ＳＩＰ招待メッセージは、図２に示すように、“Content-Type:  multipart/mixed  or  audio/basic、content-Disposition  alert”形態に伝送される。第１のＩＭＳサーバ１３２ａは、ステップ３０２で、発信ＭＴ１００の加入者のサービスプロファイル情報を検索する。第１のＩＭＳサーバ１３２ａは、加入者のサービスプロファイル情報を検索して、該当加入者がマルチメディア呼び出しサービスの受信が可能な加入者であるか否かを判定する。該当加入者がマルチメディア呼び出しサービスの受信が可能な加入者である場合に、第１のＩＭＳサーバ１３２ａは、マルチメディア呼び出しサービスを遂行するために、着信ＭＴ１６０に対する第２のＩＭＳサーバ１３２ｂを検索するためにステップ３０３で加入者管理サーバ１７０に着信ＭＴ１６０の加入者情報を要求する。このとき、第１のＩＭＳサーバ１３２ａは、ＤＩＡＭＥＴＥＲ_ＬＩＲ(Location  Information  Request)メッセージを加入者管理サーバ１７０に伝送する。すると、加入者管理サーバ１７０は、加入者管理サーバ１７０が加入者及び位置情報、ＭＴの認証機能を有するため、着信ＭＴ１６０の加入者情報を抽出する。加入者管理サーバ１７０は、抽出された着信ＭＴ１６０の加入者情報を含むＤＩＡＭＥＴＥＲ_ＬＩＡ(Location  Information  Answer)メッセージをステップ３０４で第１のＩＭＳサーバ１３２ａに伝送する。すると、第１のＩＭＳサーバ１３２ａは、ステップ３０５で、ＤＩＡＭＥＴＥＲ_ＬＩＡメッセージに含まれた加入者情報を通じて検索された着信ＭＴ１６０に該当する第２のＩＭＳサーバ１３２ｂにマルチメディア呼び出し情報を含むＳＩＰ招待メッセージを伝送する。第２のＩＭＳサーバ１３２ｂは、ステップ３０６で、着信ＭＴ１６０がＳＩＰ招待メッセージを受信するか否かを判定するために、着信加入者のサービスプロファイルを検索する。着信ＭＴ１６０がＳＩＰ招待メッセージを受信可能である場合、すなわち着信ＭＴ１６０がマルチメディア呼出サービスを受信することができる場合に、第２のＩＭＳサーバ１３２ｂは、ステップ３０７で、着信ＭＴ１６０にＳＩＰ招待メッセージを伝送する。着信ＭＴ１６０は、ステップ３０８で、受信されたＳＩＰ招待メッセージのヘッダー及びボディーに含まれたマルチメディア情報をデコーディングする。すると、着信ＭＴ１６０は、ステップ３０９で、第２のＩＭＳサーバ１３２ｂに１８３セッションプログレス(183  Session  Progress)メッセージを伝送し、第２のＩＭＳサーバ１３２ｂはステップ３１０でＱｏＳ(Quality-of Service)リソースを設定する。その後、着信ＭＴ１６０は、テップ３１１で発信ＭＴ１００と一般の呼処理を遂行し、ステップ３１２でＳＩＰ招待メッセージに含まれたマルチメディアを再生する。
【００３５】
以下に、本発明の他の実施形態による無線通信システムで呼び出し情報送受信方法について、図４を参照して説明する。
【００３６】
発信ＭＴ１００は、呼を試みる前に、マルチメディア呼び出しサービスに対する特定ボタンが選択されると、ステップ４０１で、呼び出し情報の伝送に要求されるＳＩＰ招待メッセージを第１のＩＭＳサーバ１３２ａに伝送する。例えば、ＳＩＰ招待メッセージは、ヘッダーに“Alert-Info:＜http://www.example.com/sounds/multimediabell.wav＞”が含まれうる。このＳＩＰ招待メッセージは、“Alert-Info  Header”に該当マルチメディアＵＲＬを指定してメッセージを伝送する。
【００３７】
第１のＩＭＳサーバ１３２ａは、ステップ４０２で、発信ＭＴ１００の加入者のサービスプロファイル情報を検索し、該当加入者がマルチメディア呼び出しサービスの受信ができる指定された加入者であるか否かを判定する。該当加入者がマルチメディア呼び出しサービスの受信ができる指定された加入者である場合に、第１のＩＭＳサーバ１３２ａは、ステップ４０３で、ＳＩＰ招待メッセージをマルチメディア呼び出し応用サーバ１３３に伝送する。例えば、第１のＩＭＳサーバ１３２ａは、発信加入者のサービスプロファイルの検索後に、マルチメディア呼び出し応用サーバ１３３に連動する。すると、マルチメディア呼び出し応用サーバ１３３は、ステップ４０４で、ＳＩＰ招待要求メッセージを第１のＩＭＳサーバ１３２ａに伝送する。すなわち、マルチメディア呼び出し応用サーバ１３３は、発信者の選好度によって該当マルチメディア情報のアドレス及びＳＩＰ招待メッセージのAlert-Infoヘッダーにマッピングして第１のＩＭＳサーバ１３２ａに伝送する。マルチメディア呼び出し応用サーバ１３３は、自分の能力に基づいて、メディアサーバ１３１に連動してマルチメディア情報を着信ＭＴ１６０に提供し、或いは２個以上のマルチメディア(写真、文字、動映像、アバターなど)タイプを一度に着信ＭＴ１６０に提供することもできる。
【００３８】
第１のＩＭＳサーバ１３２ａは、ステップ４０５で、着信ＭＴ１６０に該当するＩＭＳサーバを検索するために、加入者管理サーバ１７０に着信ＭＴ１６０の加入者情報を要求するＤＩＡＭＥＴＥＲ_ＬＩＲメッセージを伝送する。すると、加入者管理サーバ１７０は、加入者管理サーバ１７０は加入者情報、位置情報、及びＭＴの認証機能を有するため、ステップ４０６で、着信ＭＴ１６０の加入者情報を含むＤＩＡＭＥＴＥＲ_ＬＩＡメッセージを第１のＩＭＳサーバ１３２ａに伝送する。第１のＩＭＳサーバ１３２ａは、ステップ４０７で、ＤＩＡＭＥＴＥＲ_ＬＩＡメッセージに含まれた着信ＭＴ１６０に該当する第２のＩＭＳサーバ１３２ｂにマルチメディア呼び出し情報を含むＳＩＰ招待メッセージを伝送する。
【００３９】
第２のＩＭＳサーバ１３２ｂは、ステップ４０８で、着信加入者のサービスプロファイルを検索して、着信ＭＴ１６０がＳＩＰ招待メッセージを受信することができるか否かを判定する。着信ＭＴ１６０がＳＩＰ招待メッセージを受信することができる場合、すなわち着信ＭＴ１６０がマルチメディア呼び出しサービスの受信が可能である場合に、第２のＩＭＳサーバ１３２ｂは、ステップ４０９で、着信ＭＴ１６０にＳＩＰ招待メッセージを伝送する。すると、着信ＭＴ１６０は、ステップ４１０で、受信されたＳＩＰ招待メッセージのヘッダーに含まれたＵＲＬに基づいて、ＨＴＴＰ(Hyper  Text  Transfer  Protocol)を用いてマルチメディア呼び出し応用サーバ１３３からマルチメディア呼び出し情報をダウンロードし、発信ＭＴ１００と着信ＭＴ１６０との間のＱｏＳ設定が終了するまでダウンロードされたマルチメディア呼び出し情報を待機(holding)する。すなわち、着信ＭＴ１６０は、受信されたＳＩＰ招待メッセージのAlert-Infoヘッダーを確認した後に、ＨＴＴＰを用いてマルチメディア呼び出し応用サーバ１３３から該当マルチメディア情報をダウンロードする。その後、着信ＭＴ１６０は、ステップ４１１で、第２のＩＭＳサーバ１３２ｂに１８３セッションプログレスメッセージを伝送し、第２のＩＭＳサーバ１３２ｂはステップ４１２でＱｏＳリソースを設定する。
【００４０】
発信ＭＴ１００と着信ＭＴ１６０との間のＱｏＳリソースの設定が終了すると、ステップ４１３で一般の呼処理が遂行される。その後、ステップ４１４で、着信ＭＴ１６０は、ステップ４１０でＨＴＴＰを用いてダウンロードされたマルチメディア情報を再生する。
【００４１】
以上、本発明の詳細な説明においては具体的な実施形態に関して説明したが、特許請求の範囲を外れない限り、形式や細部についての様々な変更が可能であることは、当該技術分野における通常の知識を持つ者には明らかである。したがって、本発明の範囲は、前述の実施形態に限定されるものではなく、特許請求の範囲の記載及びこれと均等なものに基づいて定められるべきである。
【図面の簡単な説明】
【００４２】
【図１】本発明の実施形態により、移動端末の呼び出し情報を送受信するための無線通信システムのブロック構成図である。
【図２】本発明の実施形態により、移動端末の呼び出し情報を伝送するのに使用されるＳＩＰ招待メッセージのフォーマットを示す図である。
【図３】本発明の実施形態による無線通信システムで移動端末の呼び出し情報を送受信するための方法を示す信号流れ図である。
【図４】本発明の他の実施形態による無線通信システムで移動端末の呼び出し情報を送受信するための方法を示す信号流れ図である。
【符号の説明】
【００４３】
１００，１６０  ＭＴ(Mobile Terminal)
１１０，１５０  基地局
１２０  パケットデータサービスノード(ＰＤＳＮ)
１３０  呼び出し情報送受信システム
１３１  メディアサーバ
１３３  マルチメディア呼び出し応用サーバ
１３２  ＩＭＳ(IP Multimedia Subsystem)サーバ
【図１】
2008529399.tif 000003
【図２】
2008529399.tif 000004
【図３】
2008529399.tif 000005
【図４】
2008529399.tif 000006
【国際調査報告】
2008529399.tif 000007
2008529399.tif 000008